(57)【要約】【課題】電線を保護する電線カバーとコネクタ嵌合を保証する嵌合検知部を一体化することで、部品点数を減らし、コネクタ嵌合保証と電線保護を同時にできるコネクタを提供する。【解決手段】コネクタ１０は、相手方ハウジング５１に嵌合・離脱され、内部に収容の端子２８に接続された電線２９が後面２１ｄ側から導出されるハウジング２１と、ハウジング２１の後面２１ｄ側を覆うように装着される電線カバー３０と、両ハウジング２１，５１の正規の嵌合状態を検知して保証する嵌合検知部４０と、を備え、ハウジング２１に電線カバー３０を仮係止及び本係止させるロック部２２を設け、電線カバー３０に嵌合検知部４０を一体に設ける共に、電線カバー３０にハウジング２１のロック部２２が係止・離脱される仮係止部及び本係止部を設け、電線カバー３０のハウジング２１の本係止への操作方向と両ハウジング２１，５１の嵌合方向とが同一方向になるようにした。【選択図】図１
2019139834.tif 000002
【特許請求の範囲】
【請求項１】
相手方ハウジングに嵌合・離脱自在とされ、内部に収容の端子に接続された電線が後面側から導出されるハウジングと、
前記ハウジングの後面側を覆うように装着される電線カバーと、
前記両ハウジングの正規の嵌合状態を検知して保証する嵌合検知部と、
を備え、
前記ハウジングに前記電線カバーを仮係止及び本係止させるロック部を設け、
前記電線カバーに前記嵌合検知部を一体に設ける共に、該電線カバーに前記ハウジングのロック部が係止・離脱される仮係止部及び本係止部を設け、
前記電線カバーの前記ハウジングの本係止への操作方向と前記両ハウジングの嵌合方向とが同一方向になるようにしたことを特徴とするコネクタ。
【請求項２】
請求項１記載のコネクタであって、
前記ハウジングに前記相手方ハウジングの被係止部に係止・離脱される係止部を設け、
前記嵌合検知部を弾性変形するアーム状に設け、
前記アーム状の嵌合検知部の先端に、前記両ハウジングの嵌合時に前記相手方ハウジングの被係止部を乗り越えて前記ハウジングの係止部に係合される係合部を設けたことを特徴とするコネクタ。
【請求項３】
請求項１または２記載のコネクタであって、
前記電線カバーに前記ハウジングの被ロック部が係止・離脱されるロック部を設け、
前記アーム状の嵌合検知部の後端側に、前記電線カバーの前記ハウジングの本係止への操作方向及び本係止からの解除方向に押圧可能な操作部を設けたことを特徴とするコネクタ。
【請求項４】
請求項１〜３のいずれか１項に記載のコネクタであって、
前記ハウジングに前記電線カバーの仮係止から本係止への動きを規制するレール部を設け、
前記電線カバーに前記レール部が案内されるガイド部を設けたことを特徴とするコネクタ。
【発明の詳細な説明】
【技術分野】
【０００１】
本発明は、雄雌両コネクタの正規嵌合を検知して保証する機能を有したコネクタに関する。
【背景技術】
【０００２】
この種のコネクタとして、特許文献１に開示されたものがある。
【０００３】
このコネクタ１は、図７に示すように、雄コネクタ２と、この雄コネクタ２に嵌合・離脱される雌コネクタ５と、この雌コネクタ５の外側にスライド可能に取り付けられて正規の嵌合位置を保証する嵌合検知部材（ＣＰＡ）８と、を備えている。
【０００４】
嵌合検知部材８は、雄コネクタ２と雌コネクタ５が嵌合した状態で雌コネクタ５の雌ロック６が雄コネクタ２の雄ビーク３を乗り越えて係止しているが、何らかの拍子に雌ロック６が雄ビーク３との係止から外れてしまうことがあるのを防止するために設けられたもので、嵌合検知部材８のＣＰＡロック９が雌ロック６の上を覆って戻らないようにしている。
【先行技術文献】
【特許文献】
【０００５】
【特許文献１】特開２０１２−６４４６１号公報
【発明の概要】
【発明が解決しようとする課題】
【０００６】
しかしながら、前記従来のコネクタ１では、雌コネクタ５の後面側に電線を保護する電線カバーが取り付けられておらず、また、雌コネクタ５の外側には嵌合検知部材８がスライド可能に取り付けられているため、雌コネクタ５に電線カバーを取り付けることは困難であった。
【０００７】
そこで、本発明は、前記した課題を解決すべくなされたものであり、電線を保護する電線カバーとコネクタ嵌合を保証する嵌合検知部を一体化することで、部品点数を減らし、コネクタ嵌合保証と電線保護を同時に行うことができるコネクタを提供することを目的とする。
【課題を解決するための手段】
【０００８】
本発明は、雄雌両ハウジングの正規嵌合を検知・保証する機能を有したコネクタであって、相手方ハウジングに嵌合・離脱自在とされ、内部に収容の端子に接続された電線が後面側から導出されるハウジングと、前記ハウジングの後面側を覆うように装着される電線カバーと、前記両ハウジングの正規の嵌合状態を検知して保証する嵌合検知部と、を備え、前記ハウジングに前記電線カバーを仮係止及び本係止させるロック部を設け、前記電線カバーに前記嵌合検知部を一体に設ける共に、該電線カバーに前記ハウジングのロック部が係止・離脱される仮係止部及び本係止部を設け、前記電線カバーの前記ハウジングの本係止への操作方向と前記両ハウジングの嵌合方向とが同一方向になるようにしたことを特徴とする。
【発明の効果】
【０００９】
本発明によれば、電線を保護する電線カバーとコネクタ嵌合を保証する嵌合検知部を一体化することにより、部品点数を減らし、コネクタ嵌合保証と電線保護を同時に行うことができる。
【図面の簡単な説明】
【００１０】
【図１】本発明の一実施形態のコネクタの分解斜視図である。
【図２】上記コネクタの雌コネクタと電線カバーの仮係止状態を示す断面図である。
【図３】上記コネクタの雄コネクタと雌コネクタの嵌合前の状態を示す断面図である。
【図４】上記電線カバーに一体に設けられた嵌合検知部の動作開始の状態を示す断面図である。
【図５】上記雄コネクタと雌コネクタの本係止状態（正規嵌合状態）を示す断面図である。
【図６】上記雄コネクタと雌コネクタの本係止状態（正規嵌合状態）を示す要部の断面図である。
【図７】従来コネクタの断面図である。
【発明を実施するための形態】
【００１１】
以下、本発明の一実施形態を図面に基づいて説明する。
【００１２】
図１は本発明の一実施形態のコネクタの分解斜視図、図２はコネクタの雌コネクタと電線カバーの仮係止状態を示す断面図、図３はコネクタの雄コネクタと雌コネクタの嵌合前の状態を示す断面図、図４は電線カバーに一体に設けられた嵌合検知部の動作開始の状態を示す断面図、図５は雄コネクタと雌コネクタの本係止状態（正規嵌合状態）を示す断面図、図６は雄コネクタと雌コネクタの本係止状態（正規嵌合状態）を示す要部の断面図である。
【００１３】
図１、図３〜図５に示すように、コネクタ１０は、雄ハウジング（相手方ハウジング）５１と嵌合・離脱自在とされ、内部に収容の雌端子(端子)２８に接続された電線２９が後面２１ｄ側から導出される合成樹脂製の雌ハウジング（ハウジング）２１を有した雌コネクタ２０と、雌雄両ハウジング２１，５１の正規の嵌合状態を検知して保証する嵌合検知部（ＣＰＡ：Connector Position assurance）４０を一体に設け、雌ハウジング２１の後面２１ｄ側を覆うように装着される合成樹脂製の電線カバー３０と、合成樹脂製の雄ハウジング５１を有した雄コネクタ５０と、を備えている。
【００１４】
図１〜図６に示すように、雌コネクタ２０は、図示しない端子収容室を有した合成樹脂製の雌ハウジング２１と、この雌ハウジング２１の前側に嵌め込まれ、後述するランス２６ｂにて雌端子２８を係止する合成樹脂製のリテーナ２６と、このリテーナ２６の後方の雌ハウジング２１に嵌め込まれたゴム製のパッキン２７と、雌端子（端子）２８と、この雌端子２８に接続された電線２９と、を備えている。
【００１５】
雌ハウジング２１の両側壁２１ａ，２１ａの後側の上部には、電線カバー３０を仮係止及び本係止させる弾性片状のロック突起（ロック部）２２をそれぞれ一体形成してある。さらに、雌ハウジング２１の両側壁２１ａ，２１ａの後側の中央には、電線カバー３０の仮係止から本係止への動きを規制するレール部２３を一体突出形成してある。
【００１６】
また、雌ハウジング２１の周壁２１ｂの前側の上下端には、後述する雄ハウジング５１の上下一対の係止突起（被係止部）５３，５３にそれぞれ係止・離脱される一対の係止孔（係止部）２４，２４を一体形成してある。さらに、雌ハウジング２１の底壁２１ｃの後側の中央には、後述する電線カバー３０のロック突起（ロック部）３６に係止・離脱されるロック突起（被ロック部）２５を一体突出形成してある。
【００１７】
リテーナ２６は、その端子収容室２６ａに収容された雌端子２８を係止する可撓性のランス２６ｂを有している。また、雌端子２８と電線２９との接続部分はゴム栓２９Ａでシールされている。
【００１８】
図１、図２、図６に示すように、電線カバー３０は、Ｌ字形の上壁３１ａと両側壁３１ｂ，３１ｂとを有した上側カバー部３１と、Ｌ字形の下壁３２ａと両側壁３２ｂ，３２ｂとを有し、ヒンジ部３３を介して上側カバー部３１に対して開閉自在に設けられた下側カバー部３２とを備え、上下側カバー部３１，３２を閉じた状態で雌ハウジング２１の後面２１ｄ側を覆うように装着されて電線２９を保護するものである。
【００１９】
図２及び図６に示すように、上側カバー部３１の両側壁３１ｂ，３１ｂには、雌ハウジング２１のロック突起２２が係止・離脱される仮係止凹部（仮係止部）３４及び本係止凹部（本係止部）３５をそれそれ形成してある。これにより、電線カバー３０の雌ハウジング２１の本係止への操作方向と雌雄両ハウジング２１，５１の嵌合方向とが同一方向になるようになっている。
【００２０】
また、下側カバー部３２の下壁３２ａの前側中央には、雌ハウジング２１のロック突起２５に係止・離脱される弾性片状のロック突起（ロック部）３６を一体形成してある。さらに、上下側カバー部３１，３２間には雌ハウジング２１のレール部２３を案内する凹溝状のガイド部３７を形成してある。
【００２１】
また、図１〜図６に示すように、電線カバー３０の上側カバー部３１の上壁の前側には、嵌合検知部４０を一体突出形成してある。
【００２２】
嵌合検知部４０は、弾性変形する矩形板状（アーム状）に設けられている。この矩形板状の嵌合検知部４０の先端４０ａには、雌雄両ハウジング２１，５１の嵌合時に後述する雄ハウジング５１の上側の係止突起５３を乗り越えて雌ハウジング２１の上側の係止孔２４の係止片（係止部）２４ａに係合される係合突起（係合部）４１を一体突出形成してある。
【００２３】
また、矩形板状の嵌合検知部４０の後端４０ｂ側に、電線カバー３０の雌ハウジング２１の本係止への操作方向及び本係止からの解除方向に押圧可能な操作部４２を一体突出形成してある。
【００２４】
図１、図３〜図５に示すように、雄コネクタ５０は、前側に筒状のフード部５２を一体突出形成した合成樹脂製の雄ハウジング５１と、このフード部５２内に露出された複数の雄端子５４とを備えている。また、フード部５２の上下壁５２ａ，５２ｂの前端側には、上下一対の係止突起（被係止部）５３，５３を一体突出形成してある。
【００２５】
次に、以上実施形態のコネクタ１０の電線カバー３０の仮係止状態から本係止状態（正規嵌合状態）までを、図２〜図６を用いて順に説明する。
【００２６】
まず、図２に示すように、雌コネクタ２０の雌ハウジング２１に電線カバー３０を装着し、雌ハウジング２１の一対のロック突起２２，２２を電線カバー３０の一対の仮係止凹部３４，３４に係止して仮係止状態にする。この時、電線カバー３０に一体突出形成された嵌合検知部４０の先端４０ａの係合突起４１が雌ハウジング２１の係止孔２４の係止片２４ａに当接するまで電線カバー３０を雌ハウジング２１に対して挿入する。
【００２７】
この嵌合検知部４０の先端４０ａの係合突起４１が雌ハウジング２１の係止孔２４の係止片２４ａに当接しているため、それ以上電線カバー３０は動かず、この仮係止状態では、雌コネクタ２０と雄コネクタ５０の嵌合が発生していない。
【００２８】
また、電線カバー３０のロック突起３６の本係止用の雌ハウジング２１のロック突起２５が見えている状態になっているため、そこでも仮係止状態であることが判別できる。
【００２９】
そして、図３に示すように、上記の仮係止状態にて、雄コネクタ５０の雄ハウジング５１と雌コネクタ２０の雌ハウジング２１の嵌合作業を開始させる。
【００３０】
図４に示すように、雄コネクタ５０の雄ハウジング５１と雌コネクタ２０の雌ハウジング２１の嵌合後、嵌合検知部４０の先端４０ａの係合突起４１が雄ハウジング５１の上側の係止突起５３に乗り上げることにより、電線カバー３０の本係止に移行できるようになる。
【００３１】
次に、図５に示すように、雄ハウジング５１の上下一対の係止突起５３，５３が雌ハウジング２１の上下一対の係止孔２４，２４に係止して、嵌合検知部４０の先端４０ａの係合突起４１が雄ハウジング５１の上側の係止突起５３を乗り越えると、嵌合検知部４０の先端４０ａの係合突起４１が雌ハウジング２１の係止孔２４の係止片２４ａの外側に係止（本係止）され、電線カバー３０のロック突起３６も雌ハウジング２１のロック突起２５に係止されて本係止状態になるため、雄コネクタ５０の雄ハウジング５１と雌コネクタ２０の雌ハウジング２１が正規の嵌合状態になったことが確認できる。この際、図６に示すように、雌ハウジング２１の一対のロック突起２２，２２が電線カバー３０の一対の本係止凹部３５，３５に係止（本係止）される。
【００３２】
このように、電線２９を保護する電線カバー３０とコネクタ嵌合を検知して保証する嵌合検知部４０を一体化することにより、部品点数を減らし、コネクタ嵌合保証と電線保護を同時に行うことができる。
【００３３】
また、電線カバー３０の雌ハウジング２１の本係止への操作方向と雌雄両ハウジング２１，５１の嵌合方向とが同一方向になるようにしたことにより、コネクタ嵌合及び嵌合検知部４０付きの電線カバー３０の本係止をワンアクションで簡単かつ確実に行うことができる。
【００３４】
さらに、矩形板状の嵌合検知部４０の後端４０ｂ側に、電線カバー３０の雌ハウジング２１の本係止への操作方向及び本係止からの解除方向に押圧可能な操作部４２を設けたことにより、電線カバー３０の仮係止と本係止間の移動操作を簡単かつスムーズに行うことができる。
【００３５】
さらに、電線カバー３０に雌ハウジング２１のレール部２３が案内される凹溝状のガイド部３７を設けたことにより、電線カバー３０の仮係止から本係止までの移動をスムーズに行うことができる。
【００３６】
尚、前記実施形態によれば、嵌合検知部付きの電線カバーを雌ハウジングに組み付ける（仮係止させる）方向が嵌合検知部付きの電線カバーを雌ハウジングに本係止する操作方向と同一方向になるようにしたが、同一方向でなくとも良い。
【符号の説明】
【００３７】
１０  コネクタ
２１  雌ハウジング（ハウジング）
２１ｄ  後面
２２  ロック突起（ロック部）
２３  レール部
２４  係止孔（係止部）
２４ａ  係止片（係止部）
２５  ロック突起（被ロック部）
２８  雌端子（端子）
２９  電線
３０  電線カバー
３４  仮係止凹部（仮係止部）
３５  本係止凹部（本係止部）
３６  ロック突起（ロック部）
３７  ガイド部
４０  嵌合検知部（ＣＰＡ）
４０ａ  先端
４０ｂ  後端
４１  係合突起（係合部）
４２  操作部
５１  雄ハウジング（相手方ハウジング）
５３  係止突起（被係止部）
【図１】
2019139834.tif 000003
【図２】
2019139834.tif 000004
【図３】
2019139834.tif 000005
【図４】
2019139834.tif 000006
【図５】
2019139834.tif 000007
【図６】
2019139834.tif 000008
【図７】
2019139834.tif 000009